(57)【要約】【課題】無線機筐体内での収納長が短いにもかかわらず、ホイップアンテナとしての有効長の長い伸縮式ボトムヘリカルアンテナを提供する。【解決手段】ホイップアンテナ先端のアンテナつまみを導電性とし、非導電性材質のジョイントによりアンテナつまみとホイップ素子を電気的に分離すると共に、導電性の円筒状稼働素子を設ける。伸張時には、稼働素子によりアンテナつまみの下端、ジョイント、及びホイップ素子の上端を覆い、稼働素子の導電性により両者を電気的に結合し全体をアンテナ素子として機能させる。アンテナ収納時には、稼働素子をホイップアンテナの上端に移動させ、アンテナつまみとホイップ素子をジョイントにより電気的に分離し、ホイップ素子には給電部されない状態とする。【選択図】  図２−２
2006014031.tif 000002
【特許請求の範囲】
【請求項１】
ホイップ素子と伸長時にホイップ素子の下端に位置するヘリカル素子からなる伸縮式ボトムヘリカルアンテナであって、
導電性の材質を含むアンテナつまみと、
アンテナつまみとホイップ素子を結合する非導電性の接合部と、
伸長時にアンテナつまみの下端とホイップ素子の接合部に位置し、アンテナつまみの下端とホイップ素子の上端を覆う導電性の稼働素子とからなることを特徴とする伸縮式ボトムヘリカルアンテナ。
【請求項２】
アンテナ収納時に稼働素子がホイップ素子の上端を覆わない位置に移動することを特徴とする請求項１記載の伸縮式ボトムヘリカルアンテナ。
【請求項３】
アンテナ収納時に稼働素子がヘリカル素子内で無給電素子となることを特徴とする請求項１記載の伸縮式ボトムヘリカルアンテナ。
【発明の詳細な説明】
【技術分野】
【０００１】
本発明は携帯用の無線機などに搭載される伸縮式アンテナに関するものであり、特に、携帯用無線機の筐体に固定されるヘリカルアンテナの固定アンテナ部と、固定アンテナ部を貫通する直線状のホイップ素子とからなる伸縮式ボトムヘリカルアンテナに関するものである。
【背景技術】
【０００２】
携帯電話機等の携帯無線機に備えられているボトムヘリカルタイプとされるアンテナの構成の例が、特開平６−２１６６３０号公報に示される。同タイプのアンテナはヘリカルアンテナである固定アンテナ部と直線状のホイップアンテナとから構成されており、固定アンテナ部が無線機筐体に固着され、回路基板上に設けられているＲＦ回路と固定アンテナ部の給電部とが電気的に接続されるようになっている。ホイップアンテナは固定アンテナ部を貫通して固定アンテナ部に対して上下移動可能とされている。ホイップアンテナは、例えば超弾性金属で制作された導電性のホイップ素子と、ホイップ素子の上端に樹脂等で一体成形された絶縁性のアンテナつまみとから構成されている。また、ホイップ素子の下端には金属製の導電性ストッパーが固着されている。
【０００３】
ホイップアンテナが伸長された状態では、ホイップ素子の下端に固着されている金属製の導電性ストッパーが固定アンテナ部の給電部と電気的に結合されて給電され、ホイップ素子はアンテナとして機能する。固定アンテナ部に対してホイップ素子が収納された状態では、ホイップ素子の先端に一体成形されている絶縁性のアンテナつまみが固定アンテナ部の貫通穴内に位置し、ホイップ素子は固定アンテナ部の給電部と切り離される。この構成により、固定アンテナ部はホイップ素子の影響を受けることがなく、固定アンテナ部だけが動作する。
【０００４】
従来の伸縮式ボトムヘリカルアンテナの電気動作が図２−１に示されている。ホイップアンテナ３は非導電性のアンテナつまみ１１と導電性のホイップ素子１２からなり、無線機の筐体に固定されている固定アンテナ部のヘリカル素子１３を貫通しており、伸長／収納動作により上下に移動する。ヘリカル素子１３は無線機の回路基板に設けられているＲＦ回路等の高周波回路１５と給電用接続部１４で機械的に接続されている。
【０００５】
図２−１（ａ）には、アンテナが無線機の筐体から引き出された伸張時の状態が示されている。伸張時にはホイップアンテナ３の下端に固着されている導電性のストッパーが固定アンテナ部の給電用接続部１４と電気的に結合される。この構成により、ヘリカル素子１３とホイップ素子１２に給電され、ホイップ素子１２はアンテナとして機能する。しかし、ホイップアンテナ３の先端部に設けられた絶縁体のアンテナつまみはアンテナとして機能せず、アンテナの有効長はホイップアンテナ３の全長のうちホイップ素子１２の長さのみとなる。図２−１（ｂ）に、アンテナが無線機の筐体内に収納されている状態が示されている。ヘリカル素子１３の貫通穴の中には絶縁体のアンテナつまみ１１が位置し、導電体のホイップ素子１２は接続部１４から分離され給電されない。この構成により、ヘリカル素子１３単独で動作し、ホイップ素子１２がヘリカル素子１３に影響を与えることはない。
【０００６】
伸縮式ボトムヘリカルアンテナの従来技術の文献として以下のものが存在する。
【特許文献１】特開平６−２１６６３０号公報
【特許文献２】特開２００４−１５６２３号公報
【特許文献３】特許２７６４３４８号公報
【特許文献４】特許２７６４３４９号公報
【特許文献５】特許３０６２１０３号公報
【発明の開示】
【発明が解決しようとする課題】
【０００７】
無線機の小型化および多機能化に伴い、無線機の筐体内で伸縮式アンテナを収納し得る長さも短くなって来ている。そのため、伸縮式アンテナのホイップ素子も短くせざるを得ない。しかし、ホイップアンテナの有効長が短くなると、共振周波数が所望の周波数から高い周波数へずれるためＶＳＷＲ劣化が発生する。また、ＶＳＷＲ劣化のために整合損失が発生し、利得の劣化を招くことになる。
【０００８】
上記問題を解決するため、アンテナとして機能するホイップ素子をホイップアンテナ先端部のアンテナつまみまで長くすることが考えられる。しかし、この構成ではアンテナが収納された時、ヘリカル素子の貫通穴内に導電性のホイップ素子が存在することになる。このため、給電用接続部からヘリカル素子に加えホイップ素子にも給電されることになり、利得効率が下がってしまう。アンテナ収納時の利得効率の低下を防ぐため、アンテナ収納時にホイップ素子へ給電されない構成が必要であり、従来は、ホイップアンテナの先端をヘリカル素子の高さ以上の長さに非導電性物質で構成し、当該部位をアンテナつまみとする構成が取られていた。このように、ホイップアンテナのホイップ素子の長さを長くする必要が有るにもかかわらず、従来の技術では、アンテナ収納時の利得効率の低下を防ぐため、ホイップアンテナの全長をホイップ素子として利用できない欠点があった。
【課題を解決するための手段】
【０００９】
本発明は、無線機筐体内の限られたアンテナ収納長に収納可能なホイップアンテナであって、アンテナ伸長時のアンテナの有効長を従来技術以上に長く確保することを目的にしている。課題の解決のため、本発明はホイップアンテナの先端部に設けられるアンテナつまみを導電性の材質とするか、あるいは、アンテナつまみ内に導電性の物質を含ませる。また、アンテナつまみとホイップ素子を接合する接合部を非導電性材質のジョイントとし、両者を電気的に分離すると共に、ホイップアンテナが貫通する導電性材質で構成された円筒状の稼働素子が設けられている。アンテナ伸張時には、稼働素子によりアンテナつまみ下端、ジョイント、及びホイップ素子上端を覆い、稼働素子の導電性により、アンテナつまみとホイップ素子を電気的に結合し、アンテナつまみ部を含めたホイップアンテナ全体をアンテナ素子として機能させる。また、アンテナ収納時には、稼働素子をホイップアンテナ上部に移動させ、アンテナつまみとホイップ素子を非導電性のジョイントにより電気的に分離し、ホイップ素子に給電されない状態とする。
【００１０】
図１に本発明を適用した無線機器と給電の一例が示されている。伸縮式アンテナはヘリカルアンテナである固定アンテナ部７と直線状のホイップアンテナ３とからなっており、固定アンテナ部７はホルダーナット８により無線機の筐体１に固定されている。伸縮式アンテナのホイップアンテナ部３は導電性の材質で構成されているか、導電性の材質を含むアンテナつまみである上部アンテナエレメント４と、導電性のホイップ素子を含む下部アンテナエレメント６からなり、両者は非導電性のジョイントにより接合されている。ホイップアンテナが貫通している導電性材質の円筒状稼働素子５がジョイントから上部アンテナエレメント４を上下に移動可能となっている。固定アンテナ部７は無線機筐体内に納められている回路基板２の高周波回路１０及びアンテナ整合回路１１等に、アンテナ接触端子９を介して電気的に接続されている。
【００１１】
図１はアンテナが伸長された状態を示すものであり、稼働素子５は上部アンテナエレメント４の下端部とジョイント及び下部アンテナエレメント６のホイップ素子上端部を覆う状態に位置し、稼働素子５の導電性により上部アンテナエレメント４の導電性材質とホイップ素子は電気的に結合される。アンテナが筐体内に収納されると、稼働素子５は上部アンテナエレメント４に移動し、上部アンテナエレメント４と共に固定アンテナ部７の貫通穴内に留まり、ヘリカルアンテナ素子への給電経路を形成する。また、下部アンテナエレメント６のホイップ素子とアンテナ接触端子９は分離され電気的結合は無くなる。
【００１２】
図２−２に本願発明に係るアンテナの電気動作が示されている。図２−１のアンテナつまみ１１と異なり、図２−２のアンテナつまみ２０は導電性材質により構成されているか、あるいは内部に導電性材質を含んでいる。アンテナつまみ２０とホイップ素子１２は非導電性のジョイント４０により物理的に距離を持って接合されている。図２−２（ａ）はホイップアンテナが無線機の筐体から引き出された状態を示すものであり、ホイップアンテナの下端に固着されている導電性のストッパーがヘリカル素子１３へ給電する給電用接続部１４と電気的に結合される。また、円筒状の導電性稼働素子３０がホイップ素子１２の上端部、ジョイント４０、及びアンテナつまみ２０の下端部を覆う位置にあり、その導電性によりアンテナつまみ２０とホイップ素子１２を電気的に結合する。この電気的結合によりアンテナつまみにも給電され、ホイップ素子としての有効長はホイップアンテナのほぼ全長となる。また、この動作例ではヘリカル素子１３にも給電され、ホイップアンテナとヘリカル素子１３により２共振動作となり、広帯域となる。
【００１３】
図２−２（ｂ）はアンテナが無線機の筐体内に収納されている状態を示すものであり、稼働素子３０はアンテナつまみ２０の上端まで移動し、アンテナつまみ２０と共にヘリカル素子１３の内部に留まる。この状態では稼働素子３０とアンテナつまみ２０は給電用接続部１４から分離され、無給電素子となる。筐体内のアンテナ収納空間に納められているホイップ素子１２も非導電性のジョイント４０により給電部から電気的に分離されている。この構成により、ホイップ素子１２は動作素子であるヘリカル素子１３に影響を与えることは無い。
【発明の効果】
【００１４】
上記構成により、アンテナが伸長された状態では、稼働素子はアンテナつまみとホイップ素子の接合部分を覆う状態に位置し、稼働素子の導電性によりアンテナつまみ部内の導電性材質とホイップ素子が電気的に結合され、アンテナ有効長は長くなる。アンテナが収納された状態では、稼働素子はアンテナつまみの位置に移動し、アンテナつまみと共にヘリカル素子の貫通穴内部に留まる。この構成によりホイップ素子はアンテナつまみの導電性材質及び給電部から電気的に分離され、ホイップ素子がアンテナの動作に影響を与えることは無い。
【実施例１】
【００１５】
図３−１及び図３−２に本発明の第１の実施例が示されている。図３−１はアンテナの伸長時の全体図であり、アンテナはアンテナエレメント５０、稼働素子３０、及び固定アンテナ部６０からなる。図３−２は部品図であり、（ａ）はアンテナエレメント５０の、（ｂ）は稼働素子３０の、（ｃ）は固定アンテナ部６０の部品を示している。アンテナエレメント５０の上部は導電性の材質で構成された上部エレメント２０であり、アンテナつまみとして機能する。アンテナエレメント５０の下部は導電性の材質で構成された下部エレメント５１であり、絶縁性の被覆チューブ５１で被覆されている。下部エレメント５１の下端には導電性のストッパー７０が設けられ、アンテナエレメント５０の抜けを防止すると共に、アンテナエレメント５０へ給電する機能を有している。アンテナエレメント５０の上部エレメント２０と下部エレメント５１は非導電性のジョイント４０より距離を置いて接合されており、電気的に分離されている。
【００１６】
稼働素子３０は導電性の素材で作られた円筒状の素子であり、内部稼働素子摺動ばね３１が設けられている。この摺動ばね３１は稼働素子３０を貫通する上部エレメント２０及びジョイント４０に対して稼働素子３０を摺動させ、且つ、アンテナ伸長時及びアンテナ収納時に稼働素子３０を所定の位置に保持固定する。ジョイント４０の下端には稼働素子３０が下部エレメント５１へ移動することを阻止するストッパー用の突起４１が設けられている。アンテナを伸長した時、稼働素子３０はストッパー４１により位置決めされ、上部エレメント２０の下端とジョイント４０及び下部エレメント５１の上端を覆う状態となり、稼働素子３０の導電性により両エレメントを電気的に結合する。
【００１７】
稼働素子３０内の稼働素子摺動ばね３１がジョイント４０を挟持しているため、アンテナつまみ２０が押し下げられると、アンテナエレメント５０と稼働素子３０は一体で降下する。稼働素子３０が後述する固定アンテナ部６０のアンテナカバー６１に達すると、稼働素子３０はアンテナカバー６１に当たり停止する。アンテナつまみ２０がさらに押し下げられると、アンテナエレメント５０は固定アンテナ部６０の貫通穴内を降下する。アンテナカバー６１に当たり停止している稼働素子３０はジョイント４０から上部エレメント２０を上方に移動し、上部エレメント２０の上端部に到達する。稼働素子３０の上端にはリング状あるいは半球状の突起３２が設けられており、アンテナの収納時、アンテナカバー６１に設けられている凹部６４と嵌合する。この嵌合により、稼働素子３０は固定アンテナ部６０の貫通穴内部に保持固定される。図３−２（ｂ）の３３には突起３２をリング状とした例と半球状の複数の突起とした例が示されている。
【００１８】
固定アンテナ部６０のヘリカル素子１３は導電性のベース６５の上部に設置され、非導電性のアンテナカバー６１により覆われ保護されている。固定アンテナ部６０は無線機の筐体に固定されており、ベース６５を介して給電される。アンテナカバー６１とベース６５には穴があけられており、ヘリカル素子１３の中央穴と共に固定アンテナ部６０の貫通穴を形成している。アンテナカバー６１の穴を通って、アンテナエレメント５０の上部エレメント２０、稼働素子３０、ジョイント４０、及び下部エレメント５１が上下に移動する。
アンテナ収納時に、上部エレメント２０のアンテナつまみがアンテナカバー６１の上面まで押し下げられ、アンテナカバー６１の穴の内壁に設けられた凹部６４と、稼働素子３０の突起３２とが嵌合し、稼働素子３０を固定アンテナ部６０の貫通穴内部に固定保持する。アンテナエレメント５０のジョイント４０と下部エレメント５１はベース６５の穴を通り、無線機筐体内のアンテナ収納空間内に納められる。稼働素子３０内の摺動ばね３１はアンテナつまみ２０の上端を挟みアンテナエレメント５０を固定保持する。
アンテナの伸長時には、アンテナ下端に設けられたストッパー７０がベース６５と接触し両者は電気的に結合され、上部エレメント２０、稼働素子３０、及び下部エレメント５１に給電する。また、ベース６５内にはベース摺動ばね６６が設置されており、その挟力によりストッパー７０を保持固定しアンテナエレメント５０の落下を防止している。
【００１９】
図３−３に本実施例に係るアンテナを伸長し収納する際の動作が示されている。
収納時の動作は以下のとおりである。
（ａ）収納ステップ１：アンテナエレメント５０が完全に引き出された状態では、アンテナエレメント５０の下端に設けられているストッパー７０が、ベース６５内に設けられているベース摺動ばね６６の挟力により保持固定されている。
（ｂ）収納ステップ２：アンテナつまみ（上部エレメント）２０を押し下げることにより、ストッパー７０はベース摺動ばね６６から抜け、アンテナエレメント５０と稼働素子３０の全体が下方に移動する。
（ｃ）収納ステップ３：稼働素子３０が固定アンテナ部６０の貫通穴に入り、上端の突起３２がアンテナカバー６１の凹部６４と嵌合する。アンテナつまみ２０が更に押し下げられても、この嵌合により稼働素子３０は移動することなく固定アンテナ部６０の貫通穴内に留まり、上下エレメントとジョイント４０のみが下方に移動する。
（ｄ）収納ステップ４：上部エレメントの上端がアンテナカバー６１に当たるまでアンテナつまみを押し下げ、ジョイント４０と下部エレメント５１とが無線機筐体内のアンテナ収納空間内に納められ、収納は完了する。この状態のアンテナエレメント５０は、稼働素子３０の突起３２とアンテナカバー６１の凹部６４の嵌合、及び稼働素子摺動ばね３１の上部エレメント２０に対する挟力によって保持固定される。
【００２０】
伸長時の動作は以下のとおりである。
（ｅ）伸長ステップ１：（ｄ）に示される収納状態から、アンテナつまみを引き上げると、上下エレメントとジョイント４０からなるアンテナエレメント５０は上方に移動する。稼働素子３０上端の突起３２がアンテナカバー６１の凹部６４と嵌合しているため、稼働素子３０は移動することはなく、固定アンテナ部６０の貫通穴内に留まっている。
（ｆ）伸長ステップ２：アンテナつまみを更に引き上げると、ジョイント４０の下端に設けられているストッパー用の突起４１が稼働素子３０の下端に当たり、これを押し上げる状態になる。この動作により、稼働素子３０は下部エレメント５１の上端とジョイント４０及び上部エレメント２０の下端を覆う状態に位置決めされ、以後、アンテナエレメント５０と一体で上方に持ち上げられる。
（ｇ）伸長ステップ３：アンテナつまみが更に引き上げられると、下部エレメント５１の下端に設けられているストッパー７０がベース６５内に設けられているベース摺動ばね６６の位置に到達し、ベース摺動ばね６６の挟力によりストッパー７０が保持固定されると共に、アンテナエレメント５０へ給電され、引き伸ばし動作を完了する。
【００２１】
図４−１から図４−１２に、本発明の他の実施例に係る伸縮式ボトムヘリカルアンテナの電気動作図が示されている。
【００２２】
図４−１に示される動作図のアンテナは、伸長時には稼働素子３０とアンテナつまみ２０を機械的に接続し、直流結合としている。また、アンテナ収納時も稼働素子３０とアンテナつまみ２０を機械的に接続し、両者に給電する構成としている。
アンテナ伸張時（ａ）の稼働素子３０はアンテナつまみ２０の下端、ジョイント４０、及びホイップ素子１２を覆う位置にある。また、稼働素子３０内の摺動ばねを稼働素子３０の上部に設置し、機械的接続３９により、稼働素子３０と導電性アンテナつまみ２０を直流的に接続する構成となっている。稼働素子３０とホイップ素子１２は容量結合されており高周波的に導通している。これら二つのみ結合は逆であっても良い。アンテナの収納時（ｂ）には、稼働素子３０と導電性アンテナつまみ２０はヘリカル素子１３内に位置し、両者は機械的接続３９、あるいは、容量性の結合により電気的に一体と見なされる。また、導電性アンテナつまみ２０はヘリカル素子下端の機械的接続部１４に接続され給電される構成となっている。従ってヘリカル素子１３は無給電素子を持たないこととなる。
【００２３】
図４−２に示される動作図のアンテナは、伸長時には稼働素子３０とアンテナつまみ２０を機械的に接続された直流結合としている。また、アンテナ収納時には稼働素子３０とアンテナつまみ２０を直流的に接続する。しかし、両者は給電部１４から電気的に分離されており、ヘリカル素子１３内で無給電素子とするものである。
アンテナ伸張時（ａ）は、図４−１と同様、稼働素子３０と導電性アンテナつまみ２０を直流的に接続する構成となっている。アンテナの収納時（ｂ）には、稼働素子３０と導電性アンテナつまみ２０はヘリカル素子１３内に位置し、両者は機械的接続３９あるいは容量性の結合により電気的に一体と見なされる。しかし、アンテナつまみ２０の下端は給電部である機械的接続部１４に直流的にも高周波的にも接続されていない。従って、稼働素子３０と導電性アンテナつまみ２０はヘリカル素子内で無給電素子となる。
【００２４】
図４−３に示される動作図のアンテナは、伸長時には稼働素子３０とアンテナつまみ２０を容量による高周波結合としている。また、アンテナ収納時には、アンテナつまみ２０には給電するが、稼働素子３０は無給電とし、ヘリカル素子１３内で無給電素子とする構成である。
アンテナ伸張時（ａ）の稼働素子３０は、アンテナつまみ２０の下端及びホイップ素子１２の上端の両者と容量的に結合され、高周波的に導通する構成となっている。アンテナの収納時（ｂ）には、導電性アンテナつまみ２０はヘリカル素子１３内に位置し、且つヘリカル素子１３下端の給電部１４に接続され給電される。また、ヘリカル素子１３内に位置する稼働素子３０は機械的接続部１４から分離され、給電されず、ヘリカル素子１３に対して無給電素子となる。
【００２５】
図４−４に示される動作図のアンテナは、第１実施例に係るアンテナと類似の構成であり、伸長時には稼働素子３０とアンテナつまみ２０を容量による高周波結合とすると共に、アンテナ収納時には、アンテナつまみ２０と稼働素子３０を容量結合により高周波的に一体とし、ヘリカル素子１３内で無給電素子とする構成である。
アンテナ伸張時（ａ）は、図４−３と同様、稼働素子３０はアンテナつまみ２０とホイップ素子１２に容量的に結合され両部を高周波結合する構成となっている。アンテナの収納時（ｂ）には、ヘリカル素子１３内に位置する稼働素子３０とアンテナつまみ２０には共に給電されず、両者はヘリカル素子１３に対して無給電素子となる。
【００２６】
図４−５に示される動作図のアンテナは、伸長時の稼働素子３０とアンテナつまみ２０を容量による高周波結合とし、アンテナ収納時には、稼働素子３０とアンテナつまみ２０を機械的に接続し、両者に給電するものである。
アンテナ伸張時（ａ）は、図４−３と同様、稼働素子３０はアンテナつまみ２０とホイップ素子１２に容量的に結合され、両部を高周波結合する構成となっている。アンテナの収納時（ｂ）は、図４−１と同様、稼働素子３０と導電性アンテナつまみ２０は電気的に一体となり、給電部１４から給電される。従って、ヘリカル素子１３は無給電素子を持たない。
【００２７】
図４−６に示される動作図のアンテナは、伸長時の稼働素子３０とアンテナつまみ２０を容量による高周波結合とし、アンテナ収納時には、稼働素子３０とアンテナつまみ２０は直流的に結合されるが、給電部１４からは分離され、両者はヘリカル素子１３内で無給電素子となる構成である。
アンテナ伸張時（ａ）は、図４−３と同様、稼働素子３０とアンテナつまみ２０及びホイップ素子１２は共に容量的に結合され、高周波結合する構成となっている。アンテナの収納時（ｂ）は、図４−２と同様、稼働素子３０と導電性アンテナつまみ２０はヘリカル素子内で電気的に一体の無給電素子となる。
【００２８】
図４−７に示される動作図のアンテナは、伸長時の稼働素子３０とアンテナつまみ２０は機械的に接続され直流結合とされる。また、アンテナ収納時のアンテナつまみ２０を給電部１４に接続し、稼働素子３０をヘリカル素子１３内で無給電素子とする構成である。
アンテナ伸張時（ａ）は、図４−１と同様、稼働素子３０と導電性アンテナつまみ２０を直流的に接続する構成となっている。アンテナの収納時（ｂ）は、図４−３と同様、導電性アンテナつまみ２０には給電され、稼働素子３０は給電されない。従って、稼働素子３０のみがヘリカル素子１３の無給電素子となる。
【００２９】
図４−８に示される動作図のアンテナは、伸長時の稼働素子３０とアンテナつまみ２０は機械的に接続され直流結合とされる。アンテナ収納時のアンテナつまみ２０と稼働素子３０は直流的に分離され、且つ両者はヘリカル素子１３内で無給電素子とする構成である。
アンテナ伸張時（ａ）は、図４−１と同様、稼働素子３０と導電性アンテナつまみ２０を直流的に接続する構成となっている。アンテナの収納時（ｂ）は、図４−４と同様、稼働素子３０とアンテナつまみ２０は共に無給電であり、ヘリカル素子１３に対して無給電素子として機能する。
【００３０】
図４−９に示される動作図のアンテナでは、伸長時の稼働素子３０とアンテナつまみ２０は機械的に接続され直流結合とされる。アンテナ収納時の稼働素子３０はヘリカル素子の下方に入り込みヘリカル素子１３に対して無給電素子として動作しない。また、アンテナつまみ２０は給電部１４に接続され給電される構成である。
アンテナ伸張時（ａ）は、図４−１と同様、稼働素子３０と導電性アンテナつまみ２０を直流的に接続する構成となっている。アンテナの収納時（ｂ）には、稼働素子３０はヘリカル素子１３を通り抜け、その下方に位置づけされる。そのため、稼働素子３０がヘリカル素子１３に影響を与えることはない。また、導電性アンテナつまみ２０は給電部１４に接続され給電されているため、ヘリカル素子１３の無給電素子として動作しない。即ち、両者ともヘリカル素子１３の無給電素子とはならない。
【００３１】
図４−１０に示される動作図のアンテナでは、伸長時の稼働素子３０とアンテナつまみ２０は機械的に接続され直流結合とされる。また、アンテナ収納時には稼働素子３０はヘリカル素子の下方に入り込みヘリカル素子の無給電素子として動作しないが、アンテナつまみ２０はヘリカル素子内で無給電となり、ヘリカル素子の無給電素子として動作する。
アンテナ伸張時（ａ）は、図４−１と同様、稼働素子３０と導電性アンテナつまみ２０を直流的に接続する構成となっている。アンテナの収納時（ｂ）には、稼働素子３０は図４−９と同様、ヘリカル素子１３の下端に位置し、リカル素子１３の無給電素子として動作しない。他方、導電性アンテナつまみ２０はヘリカル素子１３内に位置し、且つ給電部１４には接続されていない。従って、アンテナつまみ２０はヘリカル素子１３の無給電素子として動作する。
【００３２】
図４−１１に示される動作図のアンテナは、伸長時の稼働素子３０とアンテナつまみ２０は容量による高周波結合となる。また、アンテナ収納時の稼働素子３０はヘリカル素子の下端に入り込みヘリカル素子の無給電素子として動作しない。また、アンテナつまみ２０は給電部１４に接続され給電される構成である。
アンテナ伸張時（ａ）は、図４−３と同様、稼働素子３０はアンテナつまみ２０とホイップ素子１２に容量的に結合され両部を高周波結合する。アンテナの収納時（ｂ）は、図４−９と同様、稼働素子３０と導電性アンテナつまみ２０はともにヘリカル素子１３の無給電素子とはならない。
【００３３】
図４−１２に示される動作図のアンテナでは、伸長時の稼働素子３０とアンテナつまみ２０は容量による高周波結合となる。また、アンテナ収納時には稼働素子３０はヘリカル素子の下端に入り込みヘリカル素子の無給電素子として動作しなくなるが、アンテナつまみ２０はヘリカル素子内で無給電となり、ヘリカル素子の無給電素子として動作する。
アンテナ伸張時（ａ）は、図４−３と同様、稼働素子３０はアンテナつまみ２０及びホイップ素子１２と容量的に結合され、それらを高周波結合する構成となっている。アンテナの収納時（ｂ）は図４−１０と同様、アンテナつまみ２０はヘリカル素子１３の無給電素子として動作するが、稼働素子３０は無給電素子とはならない。
【実施例２】
【００３４】
図５−１乃至図５−４に本発明の第２の実施例が示されている。同実施例は図４−１の動作態様となる。図５−１はアンテナの伸長時の全体図であり、アンテナエレメント５０、稼働素子３０、及び固定アンテナ部６０からなる。図５−２は部品図であり、（ａ）はアンテナエレメント５０の、（ｂ）は稼働素子３０の、（ｃ）は固定アンテナ部６０の部品である。図３−１乃至図３−３と同一の構成部分は同一の参照番号が付されている。当該実施例と第１実施例の相違は、第１実施例では稼働素子３０の中央部に設置されていた稼働素子摺動ばね３１を稼働素子３０の上方に設置した点、稼働素子３０の上部に凸部３２を設け、アンテナカバーの貫通穴に前記凸部３２と嵌合する凹部６４を設けていたのに対して、当該実施例では、稼働素子３０の上部に凹部３４を、アンテナカバーの貫通穴に絶縁性のＣリングをはめ込む構成とした点、及び、ヘリカル素子の内部に絶縁性のヘリカルパイプ６２を設けた点である。
【００３５】
摺動ばね３１を稼働素子３０の上部に設置することにより、摺動ばね３１は伸長時及び収納時に導電性のアンテナつまみ２０を直接挟持する。この挟持は図４−１の機械接続３９となり、稼働素子３０とアンテナつまみ２０の電気的接続をより確実なものとする。また、伸長および収納動作に伴い稼働素子３０がジョイント４０とアンテナつまみ２０を摺動する際、摺動ばね３１はアンテナつまみ２０のみを移動し、ジョイント４０とアンテナつまみ２０のつなぎ目をまたいで移動することはない。従って、つなぎ目の段差によるひっかかり等の不都合が発生せず、装置の信頼性が向上する。
【００３６】
Ｃリング６３は樹脂等で製作されており、ばね特性を有し、ヘリカル素子１３の内側に設置される非導電性のヘリカルパイプ６２とアンテナカバー６１に挟まれ、固定されている。アンテナエレメントが押し下げられると、稼働素子３０はＣリング６３を広げながら固定アンテナ部の貫通穴内に進入する。最後に、Ｃリング６３が稼働素子３０上部の凹部３４にはまることにより、稼働素子３０はアンテナカバー６１の上部に固定される。アンテナを伸長させる時、アンテナつまみ２０のストッパー４１が稼働素子３０の下端に到達するまで、稼働素子３０は凹部３４とＣリング６３の嵌合によりアンテナカバー６１の上部に固定された状態で留まる。以後の伸長動作により、稼働素子３０はストッパー４１に押し上げられ、ストッパー４１の上方に位置づけられる。Ｃリング６３はゴム製のＯリング、あるいは、板ばねなどの摺動ばねとすることも可能である。
【００３７】
図５−３に、本実施例に係るアンテナが収納された状態が示されている。Ｃリング６３はヘリカルパイプ６２とアンテナカバー６１に挟まれた状態で固定されており、稼働素子３０の上端部に設けられている凹部３４に嵌合し、稼働素子３０をアンテナカバー６０の上部に固定保持する。稼働素子３０の内側上部に設けられている摺動ばね３１は、アンテナつまみ２０の上部を挟持し固定すると共に電気的接続点３９を形成し、両者を電気的に一体とする。絶縁性のヘリカルパイプ６２がヘリカル素子の内側に設置され、Ｃリング６３をアンテナカバー６１に押しつけると共に、ヘリカル素子１３とアンテナつまみ２０の接触を防止する。伸長時にアンテナエレメント下部のストッパー７０を挟持するベース摺動ばね６４は、アンテナ収納時にはアンテナつまみ２０の下端部を挟持し、アンテナエレメントを固定すると共にアンテナつまみ２０へ給電する。従って、当アンテナは図４−１に示される動作となる。
【００３８】
図５−４に本実施例に係るアンテナを伸長し収納する際の動作が示されている。基本的な動作は、図３−３に示される第１実施例に係るアンテナの動作と同じであり、収納時の動作は以下のとおりである。
（ａ）収納ステップ１：アンテナエレメント５０が完全に引き出された状態では、アンテナエレメント５０の下端に設けられているストッパー７０が、ベース６５内に設けられているベース摺動ばね６６の挟力により保持固定されている。
（ｂ）収納ステップ２：アンテナつまみ（上部エレメント）２０を押し下げることにより、ストッパー７０はベース摺動ばね６６から抜け、アンテナエレメント５０と稼働素子３０の全体が下方に移動する。
（ｃ）収納ステップ３：稼働素子３０が固定アンテナ部６０の貫通穴に入り、上端の凹部３４にアンテナカバー６１とヘリカルパイプ６２の間に設置されたＣリング６３が嵌合する。アンテナつまみ２０が更に押し下げられても、この嵌合により稼働素子３０は移動することはなく、固定アンテナ部６０の貫通穴内に留まり、上下エレメントとジョイント４０のみが下方に移動する。
（ｄ）収納ステップ４：上部エレメントの上端がアンテナカバー６１に当たるまでアンテナつまみを押し下げ、ジョイント４０と下部エレメント５１とが無線機筐体内のアンテナ収納空間に納められ、収納は完了する。この状態では、アンテナエレメント５０は、稼働素子３０の突起３２とアンテナカバー６１の凹部６４との嵌合、及び稼働素子摺動ばね３１の上部エレメント２０に対する挟力によって保持固定される。
【００３９】
伸長時の動作は以下のとおりである。
（ｅ）伸長ステップ１：（ｄ）に示される収納状態から、アンテナつまみを引き上げることにより、上下エレメントとジョイント４０からなるアンテナエレメント５０は上方に移動する。稼働素子３０上端の凹部３４がアンテナカバー６１内のＣリング６３と嵌合しているため、稼働素子３０は移動することはなく、固定アンテナ部６０の貫通穴内に留まっている。
（ｆ）伸長ステップ２：アンテナつまみを更に引き上げると、ジョイント４０の下端に設けられているストッパー用の突起４１が稼働素子３０の下端に当たり、これを押し上げる状態になる。この動作により、稼働素子３０は下部エレメント５１の上端、ジョイント４０、及び上部エレメント２０の下端を覆う状態に位置決めされ、以後、アンテナエレメント５０と一体で上方に持ち上げられる。
（ｇ）伸長ステップ３：アンテナつまみが更に引き上げられると、下部エレメント５１の下端に設けられているストッパー７０が、ベース６５内に設けられているベース摺動ばね６６の位置に到達し、ベース摺動ばね６６の挟力によりストッパー７０が保持固定されると共にアンテナエレメント５０へ給電され、引き伸ばし動作を完了する。
【００４０】
図５−５及び図５−６に、稼働素子３０を固定アンテナ部６０の貫通穴内に留めるための他の構成例が示されている。稼働素子３０が固定アンテナ部６０の貫通穴内に留まるものであれば、下記（ａ）乃至（ｅ）に示される構成に限られるものではない。下記（ａ）乃至（ｅ）の構成を組み合わせても、あるいは、（ａ）乃至（ｅ）と他の構成を組み合わせても良い。
（ａ）第１の実施例で使用される稼働素子３０と同様、稼働素子３０の上端にリング状の突起、あるいは複数の半球状の突起１６２が、アンテナカバー６１上部の貫通穴内壁には凹部１６１が設けられている。アンテナを収納した状態で、稼働素子３０上端の突起１６２とアンテナカバー６１の凹部１６１が嵌合し、稼働素子３０をアンテナカバー６１の上部に保持固定する。
（ｂ）アンテナカバー６１の上部穴の内側に摺動ばね１６３を設置し、当該摺動ばねの挟力を摺動素子３０内の稼働素子摺動ばね３１の挟力より強くする等、摺動素子３０が通りきらない強さとする。アンテナの収納時、摺動素子３０は摺動ばね１６３に挟まれ、上部エレメント２０先端のつまみに押される位置に位置決めされ、固定アンテナ部６０の貫通穴内上部に留まる。
（ｃ）アンテナカバー６１の上部穴にマグネット１６４を設置し、稼働素子３０を着磁性材料１６５とし、両者間の磁力により固定する。アンテナが収納されると、稼働素子３０はマグネット１６４に吸着され、上部エレメント２０の先端のつまみに押される位置に位置決めされ、固定アンテナ部６０の貫通穴内に留まる。アンテナカバー６１の上部を着磁性材料、稼働素子３０をマグネットとしても良い。
（ｄ）稼働素子３０の上端に径方向に広がるつば状の突起１６７を、アンテナカバー６１の上部に上記突起１６７を受ける段差１６６を形成する。アンテナが収納されると、稼働素子３０上端の突起１６７がアンテナカバー６１の段差１６６に当たり、固定アンテナ部６０の貫通穴内に留まる。
（ｅ）円筒形あるいは多角形の絶縁対のスペーサ１６７をベース６５の上端に設置し、稼働素子３０の外径をジョイント４０のストッパー用突起４１の径より大とし、両者間に段差１６８を設ける。この構成により、アンテナ収納時、ジョイントストッパー４１はスペーサ１６７の穴を通過し得るが、稼働素子３０の下端がスペーサに当たり、その場所に留まることになる。
【００４１】
図５−７に実施例２の他の変形例が示される。同図のアンテナエレメント５０、及び固定アンテナ部６０の構成は図５−１乃至図５−３に示される実施例と同じである。実施例２の構成は、摺動ばね３１は稼働素子３０の上部に設置されており、アンテナ伸長時にアンテナつまみ２０を挟持し、アンテナつまみ２０の導電部と直接接触し、両者を直流的に結合する構成であった。これに対して、当変形例の摺動ばね３１は稼働素子３０の下部に設置されている。そのため、アンテナを伸長させた状態では、摺動ばね３１は絶縁体のジョイント４０を挟持し、稼働素子３０とアンテナつまみ２０は直接には接触しない。この結果、両者の結合は、稼働素子３０の上部とアンテナつまみ２０の間の容量による結合となる。
アンテナを収納した状態では、摺動ばね３１はアンテナつまみ２０の導電部を狭持し、第２の実施例と同様、両者はヘリカル素子１３内にあって一体として給電され、図４−５に示される動作となる。また、収納時にも稼働素子摺動ばねがジョイント４０と接触するように、アンテナつまみ２０の長さを短くし、ジョイント４０の長さを長くする等、各長さを決定することにより、アンテナつまみ２０及び稼働素子３０を無給電とし、図４−６に示される動作とすることが可能である。
【００４２】
上部エレメント２０あるいはジョイント４０に稼働素子３０を保持固定する構成を設けることも可能である。図５−８及び図５−９に、稼働素子３０を保持固定する構成を上部エレメント２０あるいはジョイント４０に設けた例が示されている。稼働素子３０が上部エレメントの下端あるいは上部エレメントの上端に留まるものであれば、下記（ａ）乃至（ｄ）に示される構成に限られるものではない。下記（ａ）乃至（ｄ）の構成を組み合わせても、あるいは、（ａ）乃至（ｄ）と他の構成を組み合わせても良い。
（ａ）は、ジョイント４０に伸長時に稼働素子３０を保持する摺動ばね１２２を、上部エレメント２０の上部に収納時に稼働素子３０を保持する摺動ばね１２１を設けた例である。当該形態では、伸長時には稼働素子３０の上部と上部エレメント２０は容量性結合となる。また、収納時には上部エレメント２０の摺動ばね１２１と稼働素子３０が機械的に接触し、稼働素子３０と上部エレメント２０は直流的な結合となる。この形態は図４−５の動作となり、アンテナつまみ２０の長さ及びジョイント４０の長さを選択することにより図４−６の動作となる。
（ｂ）は、伸長時に上部エレメント２０下部の摺動ばね１２２により稼働素子３０を保持し、収納時に上部エレメント２０上部の摺動ばね１２１により稼働素子３０を保持する例である。伸長時及び収納時共に、上部エレメント２０の摺動ばね１２１又は１２２が稼働素子３０と機械的に接触し、稼働素子３０と上部エレメント２０は直流的な結合となり、図４−１の動作となる。また、アンテナつまみ２０の長さ及びジョイント４０の長さを選択することにより図４−２の動作となる。
（ｃ）の構成では、稼働素子３０の内側に一対の凹部が設けられ、ジョイント４０と上部エレメント２０の下部に一対の凸部１２４、上部エレメント２０の上部に一対の凸部１２３が形成されている。アンテナ伸長時には、稼働素子３０の凹部はジョイント４０と上部エレメント２０下部の凸部１２４と嵌合し、アンテナ収納時には上部エレメント２０上部の一対の凸部１２３と嵌合し、稼働素子３０はアンテナエレメントに保持固定される。凹部と凸部の形成部は逆でも良く、また嵌合する凹部凸部の数は２つに限られるものでもない。稼働素子３０と上部エレメント２０の結合は、伸長時、収納時共に上部エレメント２０の凸部が稼働素子３０の凹部と嵌合するため、稼働素子３０と上部エレメント２０は直流的な結合となる。また、凹部凸部の数、あるいは、位置を適宜選択することにより、アンテナ伸長時の結合を容量結合とすることも可能である。この形態は上記（ｂ）と同様、図４−１の動作となる。また、アンテナつまみ２０の長さ及びジョイント４０の長さを選択することにより図４−２の動作となる。
（ｄ）稼働素子３０を着磁性材質とし、ジョイント４０に伸長時の保持固定用マグネット１２６を、上部エレメント２０の上部に収納時の保持固定用マグネット１２５を設置する。アンテナ伸長時には稼働素子３０とジョイント４０のマグネット１２６間の吸着力により保持固定し、アンテナ収納時には上部エレメント２０上部マグネット２６間の吸着力により保持固定する。着磁性材質とマグネットの位置は逆でも良く、マグネットの個数も任意に設定可能である。当該形態の稼働素子３０と上部エレメント２０の結合は、伸長時は稼働素子３０の上部と上部エレメント２０の間の容量性結合であり、収納時はマグネット２５と稼働素子３０間の直流的な結合となる。伸長時用のマグネット１２６の位置を適宜選択することにより、アンテナ伸長時の結合を直流結合とすることも可能である。この形態は図４−３の動作となり、アンテナつまみ２０の長さ及びジョイント４０の長さを選択することにより図４−４の動作となる。
【００４３】
アンテナ収納時に上部エレメント２０をアンテナカバー６１の上面に保持固定する構成例が図５−１０に示されている。上部エレメント２０をアンテナカバー６１の上面に保持固定するものであれは、下記（ａ）、あるいは、（ｂ）に示される構成に限られるものではない。下記（ａ）と（ｂ）の組み合わせ、あるいは、（ａ）又は（ｃ）と他の構成を組み合わせも可能である。
（ａ）には上部エレメント２０の上部に凸部を形成し、アンテナカバー６１の上端の貫通穴内壁に凹部を設け、アンテナを収納した時に上記凹部と凸部を嵌合させることにより、アンテナエレメントを保持固定する構成が示されている。
（ｂ）にはアンテナカバー６１の上部にＣリング、Ｏリング、あるいは板ばねなどの摺動ばねを設置し、上部エレメント２０を挟持する構成が示されている。摺動ばねを上部エレメント２０に設けても良い。
上記（ａ）あるいは（ｂ）の構成によるアンテナの稼働素子３０は、稼働素子摺動ばね３１が上部エレメント２０を挟持することにより、固定アンテナ部の貫通穴内、あるいは、ヘリカルパイプ内に保持固定される。稼働素子３０の保持固定をより確実にするため、アンテナカバー６１の貫通穴内の、上記の上部エレメント２０用の嵌合部の下に、図５−５に示される稼働素子３０用の嵌合部を付加する構成も可能である。
【００４４】
上記図５−１０（ａ）及び（ｂ）のアンテナの上部エレメント２０は、アンテナ収納時にベース６３内に設置されているベース摺動ばね６６に挟持され、給電状態となる。アンテナ収納時に上部エレメント２０を無給電とするための構成が図５−１１に示されている。図５−１１（ａ）は、固定アンテナ部６０で電気接続部となるベース６３内に設置されるベース摺動ばね６６の内径をアンテナエレメント５０の径より大としたものである。この構成により、アンテナ収納時にベース摺動ばね６６を貫通する上部エレメント２０はベース摺動ばね６６と接触することは無く、上部エレメント２０は無給電の状態となる。アンテナエレメント５０下端に固着されているストッパー７０の径もベース摺動ばね６６の径に合わせて製作される。
【００４５】
図５−１１（ｂ）は、上部エレメント２０の長さを短くし、ジョイント４０を長くすることにより、アンテナを収納した状態でベース摺動ばね６６とジョイント４０が接触する構成とし、上部エレメント２０は無給電としたものである。
図５−１１（ａ）あるいは（ｂ）の構成を採用することにより、アンテナ収納時に上部エレメント２０をヘリカル素子１３内で無給電素子とし、動作が図４−２、図４−４、図４−６、図４−８のアンテナを構成することが可能となる。
【実施例３】
【００４６】
図６−１及び図６−２は第３の実施例に係るアンテナの断面を示す図であり、図６−１（ａ）は伸長時を、図６−１（ｂ）は収納時を示している。図６−２（ｃ）は実施例３の変形例を示すものである。当該実施例に係るアンテナは実施例１あるいは実施例２に係る伸縮式ボトムヘリカルアンテナと同様、アンテナエレメント５０、稼働素子３０、及び固定アンテナ部６０からなり、アンテナエレメント５０は上部エレメント２０、ジョイント４０、下部エレメント５１、下部エレメント被覆チューブ５２、及びストッパー７０からなり、稼働素子３０は稼働素子摺動ばね３１を有し、固定アンテナ部６０はアンテナカバー６１、ヘリカル素子１３、ベース６５、及びベース摺動ばね６６から構成されている。当該実施例に係るアンテナでは、実施例２（図５−１、乃至、図５−３）の稼働素子３０上端に設けられていた嵌合用の凹起３４と、アンテナカバー６１の穴の内壁に設けられていた嵌合用のＣリング６３が存在しない。当実施例では、アンテナつまみ２０の中程に段差６７が設けられている。
【００４７】
アンテナが伸張された図６−１（ａ）の状態では、稼働素子３０の摺動ばね３１はアンテナつまみ２０を挟持し、両者は直流的に結合されている。この状態から、アンテナつまみを押し下げると、ストッパー７０がベース摺動ばね６６から抜け、アンテナエレメント５０と稼働素子３０全体が下方に移動する。更に押し下げると、稼働素子３０は固定アンテナ部６０の貫通穴に入る。本実施例では実施例２と異なり、稼働素子３０上端の凹起と、アンテナカバー６１の穴のＣリングが存在しないため、稼働素子３０はジョイント４０と共に固定アンテナ部６０の貫通穴内を降下し続け、ベース摺動ばね６６に到達する。ジョイント４０は人による押し下げ力によりベース摺動ばね６６の挟力に抗してベース６５を通過し得る。しかし、稼働素子３０はベース摺動ばね６６の圧力に阻まれ、ベース６５を通過できない。アンテナつまみの押し下げが進むと、上部エレメント２０に設けられた段差６７が稼働素子３０の上端に当たり、これを押し下げる。稼働素子３０は段差６７に押し下げられ、ベース６５内に進入し、位置決めされる。
【００４８】
図６−１（ｂ）に実施例３に係るアンテナが収納された状態が示されている。稼働素子３０のほぼ全てがヘリカル素子の下側にあり、ベース６５内のベース摺動ばね６６に挟持されている。また、稼働素子３０の摺動ばね３１は導電性の上部エレメント２０を挟持し保持固定すると共に、稼働素子３０と上部エレメント２０を直流的に結合する。従って、稼働素子３０と上部エレメント２０にはベース６５を介して給電され、両者は給電状態となり、図４−９に示される動作となる。
【００４９】
アンテナ収納時の図６−１（ｂ）において、上部エレメント２０の上部とアンテナカバー上部に図５−１０（ａ）あるいは同（ｂ）の保持固定手段を設け、アンテナつまみをアンテナカバーに固定すると共に、ベース摺動ばね６６とアンテナエレメントの関係を図５−１１（ａ）あるいは同（ｂ）とすることにより、収納時の上部エレメント２０を無給電とし、図４−１０の動作とすることが可能である。
【００５０】
図６−２（ｃ）には稼働素子３０とジョイント４０の他の形態が示されている。ジョイント４０の下部を金属製１４０とし、下部エレメント５１と電気的に一体とされている。稼働素子摺動ばね３１を稼働素子３０の下側に設けることにより、伸張時に稼働素子摺動ばね３１が金属製１４０を挟持する構成と、稼働素子３０と下部エレメント５１を直流結合とし得る。また、稼働素子摺動ばね３１を長くし、摺動ばね３１と上部エレメント２０を直接接触させることにより、下部エレメント５１と上部エレメント２０を直流結合とすることも可能である。
【実施例４】
【００５１】
図７は第４の実施例に係るアンテナの断面を示す図であり、（ａ）は伸長時の状態を、（ｂ）は収納時の状態を示している。同実施例に係るアンテナは、図６に示される実施例３のアンテナと異なり、アンテナ伸張時に、稼働素子３０の稼働素子摺動ばね３１を非導電性のジョイント４０を挟持する位置に設けてある。従って、下部エレメント５１、稼働素子３０、上部エレメント２０間の結合は容量結合となる。アンテナ収納時の図７（ｂ）において、上部エレメント２０の上部とアンテナカバー上部に図５−１０（ａ）あるいは同（ｂ）の保持固定手段を設け、アンテナつまみをアンテナカバーに固定すると共に、ベース摺動ばね６６とアンテナエレメントの関係を図５−１１（ａ）あるいは同（ｂ）とすることにより、図４−１２の動作のアンテナとなる。
【実施例５】
【００５２】
図８は実施例５に係るアンテナの断面を示す図であり、（ａ）は伸長時の状態を、（ｂ）は収納時の状態を示している。当実施例に係るアンテナは図に示される実施例１のアンテナと同様、アンテナエレメント５０と稼働素子３０及び固定アンテナ部６０からなり、アンテナエレメント５０は上部エレメント２０、ジョイント４０、下部エレメント５１、下部エレメント被覆チューブ５２、及びストッパー７０からなり、稼働素子３０は稼働素子摺動ばね３１、及び突起３２を有し、固定アンテナ部６０はアンテナカバー６１、嵌合用の凹部６４、ヘリカル素子１３、ベース６５、及びベース摺動ばね６６から構成されている。
【００５３】
実施例５に係るアンテナでは、上部エレメントとアンテナつまみを分離し、アンテナつまみ２１を形成する非導電性の素材より導電性の上部エレメント２０の全体、あるいは、一部を覆う構造となっている。図８に示される例では、導電性の上部エレメント２０の下部は非導電性の素材に覆われておらず、稼働素子摺動ばね３１が上部エレメント２０に直接接触する構成となっている。また、図８（ｂ）の収納時には、稼働素子３０はヘリカル素子１３内に移動し、稼働素子摺動ばね３１は上部エレメント２０を覆う非導電性であるアンテナつまみ２１を挟持する状態となる。また、稼働素子３０とアンテナカバー６１の固定には図５−３の構成、あるいは図５−５，図５−６の各構成が利用可能である。ベース摺動ばねと上部エレメント２０及びジョイント４０の構成を図５−１１に示される構成とすることにより、図４−８の動作となる。
非導電性のアンテナつまみ２１と導電性の上部エレメント２０を分離することにより両部の素材の選択の幅が広がる。特に、非導電性の物質は各種存在し、アンテナつまみの素材として、加工の容易さ、色つや等仕上がりの良さ等を考慮しての選択が可能となる。実施例４の構成は実施例１乃至実施例３の構成にも適用可能である。
【実施例６】
【００５４】
図９は第６の実施例に係るアンテナの断面を示す図であり、（ａ）は伸長時の状態を、（ｂ）は収納時の状態を示している。実施例４に係るアンテナは図３−１に示される実施例１のアンテナと同様、アンテナエレメント５０と稼働素子３０及び固定アンテナ部６０からなり、アンテナエレメント５０は上部エレメント２０、ジョイント４０、下部エレメント５１、下部エレメント被覆チューブ５２、及びストッパー７０からなり、稼働素子３０は稼働素子摺動ばね３１及び突起３２を有し、固定アンテナ部６０はアンテナカバー６１、嵌合用の凹部６４、ヘリカル素子１３、ベース６５、及びベース摺動ばね６６から構成されている。
【００５５】
実施例６に係るアンテナでは、稼働素子３０の中央部をヘリカル状の素子としている。稼働素子３０の中央部をヘリカル状の素子１３０とすることにより、素子の電気長を延ばすことができ、アンテナ伸長時の全体の電気長を更に長くすることが可能となる。実施例６の構成は実施例１乃至実施例５の構成にも適用可能である。
【産業上の利用可能性】
【００５６】
本件発明によれば、アンテナ伸長時には、引き出した直線部分のほぼ全体をホイップ素子として利用できるため、ホイップ素子の有効長が長くなり、従来の短いホイップ素子に比べ、ＶＳＷＲや利得が向上する。また、アンテナ収納時には、ホイップ素子は電気的に切り離されるため、収納されたホイップ素子には電流が流れない。そのため、ヘリカル素子に効率よく電力が供給される。更に、ホイップ素子をアース接地する、あるいはホイップ素子にスタブなどのホイップ素子インピーダンスを無限大にする構造を付加する必要がなく、筐体の構造が簡単となる。また、アンテナ収納時に稼働素子３０、あるいは、上部エレメント２０を無給電素子として固定アンテナ部６０の貫通穴内に留めることにより、特開２００４−１５６２３号公報に記載されるように、電気特性が改善されるという効果もある。
なお、各実施例では上部エレメント及び下部エレメントは棒状で説明されているが、多段構成とすることによりホイップ素子の有効長を更に長くすることが可能である。
【図面の簡単な説明】
【００５７】
【図１】本発明に係る無線装置とその給電部を示す図
【図２−１】従来に係るアンテナの電気動作図
【図２−２】実施例１に係るアンテナの電気動作図
【図３−１】実施例１に係るアンテナの伸長時断面図
【図３−２】実施例１に係るアンテナの部品図
【図３−３】実施例１に係るアンテナの収納及び伸長時の動作図
【図４−１】他の実施例に係るアンテナの電気動作図（１）
【図４−２】他の実施例に係るアンテナの電気動作図（２）
【図４−３】他の実施例に係るアンテナの電気動作図（３）
【図４−４】他の実施例に係るアンテナの電気動作図（４）
【図４−５】他の実施例に係るアンテナの電気動作図（５）
【図４−６】他の実施例に係るアンテナの電気動作図（６）
【図４−７】他の実施例に係るアンテナの電気動作図（７）
【図４−８】他の実施例に係るアンテナの電気動作図（８）
【図４−９】他の実施例に係るアンテナの電気動作図（９）
【図４−１０】他の実施例に係るアンテナの電気動作図（１０）
【図４−１１】他の実施例に係るアンテナの電気動作図（１１）
【図４−１２】他の実施例に係るアンテナの電気動作図（１２）
【図５−１】実施例２に係るアンテナの伸長時断面図
【図５−２】実施例２に係るアンテナの部品図
【図５−３】実施例２に係るアンテナの収納時断面図
【図５−４】実施例２に係るアンテナの収納及び伸長時の動作図
【図５−５】実施例２に係るアンテナの稼働素子の他の形態図
【図５−６】実施例２に係るアンテナの稼働素子の他の形態図
【図５−７】実施例２に係るアンテナの稼働素子の他の形態図
【図５−８】実施例２に係るアンテナの稼働素子の他の形態図
【図５−９】実施例２に係るアンテナの稼働素子の他の形態図
【図５−１０】実施例２に係るアンテナのアンテナカバーの他の形態図
【図５−１１】実施例２に係るアンテナのベースの他の形態図
【図６−１】実施例３に係るアンテナの伸長時と収納時の断面図
【図６−２】実施例３に係るアンテナの他の形態図
【図７】実施例４に係るアンテナの伸長時と収納時の断面図
【図８】実施例５に係るアンテナの伸長時と収納時の断面図
【図９】実施例６に係るアンテナの伸長時と収納時の断面図
【符号の説明】
【００５８】
１  無線機筐体
２  回路基板
３  ホイップアンテナ
４  アンテナつまみ
５，３０  稼働素子
６  下部アンテナ
７，６０  固定アンテナ部
８  ホルダーナット
９  給電部
１０  高周波回路
２０  上部エレメント
５０  下部エレメント
【図１】
2006014031.tif 000003
【図２−１】
2006014031.tif 000004
【図２−２】
2006014031.tif 000005
【図３−１】
2006014031.tif 000006
【図３−２】
2006014031.tif 000007
【図３−３】
2006014031.tif 000008
【図４−１】
2006014031.tif 000009
【図４−２】
2006014031.tif 000010
【図４−３】
2006014031.tif 000011
【図４−４】
2006014031.tif 000012
【図４−５】
2006014031.tif 000013
【図４−６】
2006014031.tif 000014
【図４−７】
2006014031.tif 000015
【図４−８】
2006014031.tif 000016
【図４−９】
2006014031.tif 000017
【図４−１０】
2006014031.tif 000018
【図４−１１】
2006014031.tif 000019
【図４−１２】
2006014031.tif 000020
【図５−１】
2006014031.tif 000021
【図５−２】
2006014031.tif 000022
【図５−３】
2006014031.tif 000023
【図５−４】
2006014031.tif 000024
【図５−５】
2006014031.tif 000025
【図５−６】
2006014031.tif 000026
【図５−７】
2006014031.tif 000027
【図５−８】
2006014031.tif 000028
【図５−９】
2006014031.tif 000029
【図５−１０】
2006014031.tif 000030
【図５−１１】
2006014031.tif 000031
【図６−１】
2006014031.tif 000032
【図６−２】
2006014031.tif 000033
【図７】
2006014031.tif 000034
【図８】
2006014031.tif 000035
【図９】
2006014031.tif 000036